(57)【要約】【課題】初回プリアンブル送信電力を最適な値に近づける。【解決手段】受信電力測定部１０３は基地局装置２００から受信した報知信号の受信電力を測定し、基地局情報取得部１０４は報知信号から送信電力と希望受信電力とを取得する。送信電力算出部１０５は、送信電力と希望受信電力と補正値記憶部１０６が記憶する送信電力補正値とを加算し、受信電力を減算することで自装置の送信電力を算出する。送信部１０８は算出した送信電力で送信信号を基地局装置２００に送信し、応答信号受信部１０９は、送信信号に対する応答信号を受信する。応答信号が送信失敗を示す場合、または応答信号を受信しなかった場合、前回の送信電力にランプアップ電力を加えた電力を送信電力として送信信号を再送する。応答信号が送信成功を示す場合、送信信号の送信失敗回数に基づいて送信電力補正値を決定し、補正値記憶部１０６に登録する。【選択図】図１
2010081171.tif 000002
【特許請求の範囲】
【請求項１】
自装置からの送信電力と希望受信電力とを示す報知信号を送信する基地局装置との無線通信を行う送受信装置であって、
前記報知信号の受信を行う報知信号受信部と、
前記受信した報知信号の受信電力を測定する受信電力測定部と、
前記受信した報知信号から前記送信電力と前記希望受信電力とを取得する基地局情報取得部と、
過去の送信信号の送信失敗回数に基づいて算出された送信電力補正値を記憶する補正値記憶部と、
前記送信電力と前記希望受信電力と前記送信電力補正値とを加算し、前記受信電力を減算することで自装置からの送信電力を算出する送信電力算出部と、
前記算出した送信電力で送信信号を前記基地局装置に送信する送信部と、
前記基地局装置から前記送信した送信信号に対する応答信号を受信する応答信号受信部と、
前記受信した応答信号が前記送信信号の送信成功を示すか否かを判定する応答判定部と、
前記応答信号が前記送信信号の送信成功を示さないと判定した場合に、前記送信電力に所定のランプアップ電力を加えた電力を送信電力として前記送信部を介して送信信号を送信するランプアップ部と、
前記応答信号が前記送信信号の送信成功を示すと判定した場合に、前記送信電力補正値と前記応答信号が前記送信信号の送信成功を示さないと判定された回数とに基づいて前記送信電力補正値を決定し、前記補正値記憶部に登録する補正値算出部と、
を備えることを特徴とする送受信装置。
【請求項２】
前記応答判定部は、前記応答信号を受信しなかった場合に、前記送信信号の送信成功を示さないと判定することを特徴とする請求項１に記載の送受信装置。
【請求項３】
前記補正値算出部は、前記応答信号が前記送信信号の送信成功を示さないと判定された回数から予め決定された再送回数の目標値を減じた値に基づいて前記送信電力補正値を決定することを特徴とする請求項１または請求項２に記載の送受信装置。
【請求項４】
請求項１から請求項３の何れかに記載の送受信装置を搭載することを特徴とする移動局装置。
【請求項５】
自装置からの送信電力と希望受信電力とを示す報知信号を送信する基地局装置と、
前記基地局との無線通信を行う請求項４に記載の移動局装置と、
を備えることを特徴とする移動体通信システム。
【請求項６】
自装置からの送信電力と希望受信電力とを示す報知信号を送信する基地局装置との無線通信を行い、過去の送信信号の送信失敗回数に基づいて算出された送信電力補正値を記憶する補正値記憶部を備える送受信装置を用いた電力制御方法であって、
報知信号受信部は、前記報知信号の受信を行い、
受信電力測定部は、前記受信した報知信号の受信電力を測定し、
基地局情報取得部は、前記受信した報知信号から前記送信電力と前記希望受信電力とを取得し、
送信電力算出部は、前記送信電力と前記希望受信電力と前記送信電力補正値とを加算し、前記受信電力を減算することで自装置からの送信電力を算出し、
送信部は、前記算出した送信電力で送信信号を前記基地局装置に送信し、
応答信号受信部は、前記基地局装置から前記送信した送信信号に対する応答信号を受信し、
応答判定部は、前記受信した応答信号が前記送信信号の送信成功を示すか否かを判定し、
ランプアップ部は、前記応答信号が前記送信信号の送信成功を示さないと判定した場合に、前記送信電力に所定のランプアップ電力を加えた電力を送信電力として前記送信部を介して送信信号を送信し、
補正値算出部は、前記応答信号が前記送信信号の送信成功を示すと判定した場合に、前記送信電力補正値と前記応答信号が前記送信信号の送信成功を示さないと判定された回数とに基づいて前記送信電力補正値を決定して前記補正値記憶部に登録する、
ことを特徴とする電力制御方法。
【請求項７】
前記応答判定部は、前記応答信号を受信しなかった場合に、前記送信信号の送信成功を示さないと判定することを特徴とする請求項６に記載の電力制御方法。
【請求項８】
前記補正値算出部は、前記応答信号が前記送信信号の送信成功を示さないと判定された回数から予め決定された再送回数の目標値を減じた値に基づいて前記送信電力補正値を決定することを特徴とする請求項６または請求項７に記載の電力制御方法。
【請求項９】
開ループ送信電力制御の送受信装置を具備する移動局装置と基地局装置との間で開ループ送信電力制御を行う方法であって、
前記移動局装置は前記基地局装置とのランダムアクセス通信を開始する際に、プリアンブルを送信する送信電力として正または負の値を取ることのできる補正値が加算された送信電力値を用い、前記補正値は、前回のランダムアクセス通信の際に送信したプリアンブルの回数に応じて定まることを特徴とする方法。
【請求項１０】
前記補正値は前記ランダムアクセスの回数が少ないときは負の値を取ることを特徴とする請求項９に記載の方法。
【請求項１１】
前記補正値は正の最大値を有することを特徴とする請求項１０に記載の方法。
【発明の詳細な説明】
【技術分野】
【０００１】
本発明は、送受信装置、移動局装置、移動体通信システム及び電力制御方法、特に開ループ送信電力制御を行う送受信装置、移動局装置、移動体通信システム及び電力制御方法に関する。
【背景技術】
【０００２】
移動体通信システムの上りリンク通信において、移動局装置が同一の送信電力で信号を送信した場合、基地局装置に近い移動局装置の送信信号が遠い移動局装置の送信信号よりも基地局装置において大きな信号電力でもって受信される。そのため、近い移動局装置の送信信号が遠い移動局装置の送信信号に対する強力な干渉波となってしまい、遠い移動局装置の送信信号を受信するのに支障をきたす。そのため、基地局装置においてそれぞれの送信信号を正しく復調するには、基地局装置における信号の受信レベルをそろえる必要がある。そこで従来、ＬＴＥ（Long Term Evolution：長期進化版）と呼ばれる携帯電話系システムの共通チャネルであるランダムアクセス物理チャネル（ＰＲＡＣＨ：Physical Random Access Channel）を用いた移動局装置から基地局装置への上り通信を行う場合、プリアンブル（Preamble：基準信号）を送信する際に開ループ送信電力制御による送信電力制御を用いる（例えば、非特許文献１）。プリアンブルとは、ランダムアクセス通信を開始する際に受信の同期を行うための信号である。
【０００３】
以下に、従来のランダムアクセス通信方法を説明する。
移動局装置は、基地局装置とのランダムアクセス通信を開始する際、基地局装置から送信された報知信号から得られる情報に基づいて算出した送信電力値で基地局に対してプリアンブルを送信する。報知信号は、基地局装置の送信電力ＴｘｅＮＢ［ｄＢｍ］と希望受信電力ＤＲｘｅＮＢ［ｄＢｍ］とを示す情報を含む信号である。移動局装置は、自装置の送信電力値ＴｘＵＥ［ｄＢｍ］をＴｘＵＥ＝ＤＲｘｅＮＢ＋Ｐａｔｈｌｏｓｓ＋ｎ×Ｓｔｅｐを計算することで求める。
【０００４】
ただし、Ｐａｔｈｌｏｓｓ［ｄＢｍ］は下りリンクの伝送路損失値であり、基地局装置の送信電力ＴｘｅＮＢから移動局装置における報知信号の受信電力ＲｘＵＥを減じることで求められる。また、ｎはプリアンブルの再送回数を示す。また、Ｓｔｅｐ［ｄＢｍ］はプリアンブル再送時のランプアップ電力を示す。
これにより、プリアンブルの再送を繰り返す毎に送信電力を増大させていく（例えば、非特許文献２）。
【０００５】
しかし、希望受信電力ＤＲｘｅＮＢはセル内の移動局装置に対して共通であるため、その設定値は個々の端末にとって適切な値とは限らず、無駄なプリアンブルの再送が発生する。この問題を解決する技術として、特許文献１の技術が開示されている。
特許文献１によると、プリアンブルの初期送信電力とプリアンブル送信成功時の送信電力の差を補正値とし、次回のランダムアクセス通信の開始時に、初期送信電力値に補正値を加算した値をその回の初期送信電力値として送信を行う。これにより、次回のプリアンブル送信時に大きい送信電力で送信できるため、再送回数を減らすことができる。
【特許文献１】特開２００７−９７０５５号公報
【非特許文献１】3GPP TS36.213 V8.3.0(2008-05)、“Physical layer procedures”
【非特許文献２】R1-080159、“L1 eNB measurements on PRACH resources”、3GPP、TSG RAN WG1 Meeting #51、Seville、Spain、January 14 - January 18、2008
【発明の開示】
【発明が解決しようとする課題】
【０００６】
しかしながら、特許文献１に記載の手法は、プリアンブルを再送する度にその時点の伝送路損失で補正を掛けることを考慮していないため、最適な電力制御を行うことができない。
【０００７】
本発明は上記の点に鑑みてなされたものであり、その目的は、初回のプリアンブル送信電力を最適な値に近づける送受信装置、移動局装置、移動体通信システム及び電力制御方法を提供することにある。
【課題を解決するための手段】
【０００８】
本発明は上記の課題を解決するためになされたものであり、自装置からの送信電力と希望受信電力とを示す報知信号を送信する基地局装置との無線通信を行う送受信装置であって、前記報知信号の受信を行う報知信号受信部と、前記受信した報知信号の受信電力を測定する受信電力測定部と、前記受信した報知信号から前記送信電力と前記希望受信電力とを取得する基地局情報取得部と、過去の送信信号の送信失敗回数に基づいて算出された送信電力補正値を記憶する補正値記憶部と、前記送信電力と前記希望受信電力と前記送信電力補正値とを加算し、前記受信電力を減算することで自装置からの送信電力を算出する送信電力算出部と、前記算出した送信電力で送信信号を前記基地局装置に送信する送信部と、前記基地局装置から前記送信した送信信号に対する応答信号を受信する応答信号受信部と、前記受信した応答信号が前記送信信号の送信成功を示すか否かを判定する応答判定部と、前記応答信号が前記送信信号の送信成功を示さないと判定した場合に、前記送信電力に所定のランプアップ電力を加えた電力を送信電力として前記送信部を介して送信信号を送信するランプアップ部と、前記応答信号が前記送信信号の送信成功を示すと判定した場合に、前記送信電力補正値と前記応答信号が前記送信信号の送信成功を示さないと判定された回数とに基づいて前記送信電力補正値を決定し、前記補正値記憶部に登録する補正値算出部と、を備えることを特徴とする。
【０００９】
また、本発明の前記応答判定部は、前記応答信号を受信しなかった場合に、前記送信信号の送信成功を示さないと判定することを特徴とする。
【００１０】
また、本発明の前記補正値算出部は、前記応答信号が前記送信信号の送信成功を示さないと判定された回数から予め決定された再送回数の目標値を減じた値に基づいて前記送信電力補正値を決定することを特徴とする。
【００１１】
また、本発明は、上述した送受信装置を搭載することを特徴とする移動局装置である。
【００１２】
また、本発明は、自装置からの送信電力と希望受信電力とを示す報知信号を送信する基地局装置と、前記基地局との無線通信を行う移動局装置と、を備えることを特徴とする移動体通信システムである。
【００１３】
また、本発明は、自装置からの送信電力と希望受信電力とを示す報知信号を送信する基地局装置との無線通信を行い、過去の送信信号の送信失敗回数に基づいて算出された送信電力補正値を記憶する補正値記憶部を備える送受信装置を用いた電力制御方法であって、報知信号受信部は、前記報知信号の受信を行い、受信電力測定部は、前記受信した報知信号の受信電力を測定し、基地局情報取得部は、前記受信した報知信号から前記送信電力と前記希望受信電力とを取得し、送信電力算出部は、前記送信電力と前記希望受信電力と前記送信電力補正値とを加算し、前記受信電力を減算することで自装置からの送信電力を算出し、送信部は、前記算出した送信電力で送信信号を前記基地局装置に送信し、応答信号受信部は、前記基地局装置から前記送信した送信信号に対する応答信号を受信し、応答判定部は、前記受信した応答信号が前記送信信号の送信成功を示すか否かを判定し、ランプアップ部は、前記応答信号が前記送信信号の送信成功を示さないと判定した場合に、前記送信電力に所定のランプアップ電力を加えた電力を送信電力として前記送信部を介して送信信号を送信し、補正値算出部は、前記応答信号が前記送信信号の送信成功を示すと判定した場合に、前記送信電力補正値と前記応答信号が前記送信信号の送信成功を示さないと判定された回数とに基づいて前記送信電力補正値を決定して前記補正値記憶部に登録する、ことを特徴とする。
【００１４】
また、本発明の前記応答判定部は、前記応答信号を受信しなかった場合に、前記送信信号の送信成功を示さないと判定することを特徴とする。
【００１５】
また、本発明の前記補正値算出部は、前記応答信号が前記送信信号の送信成功を示さないと判定された回数から予め決定された再送回数の目標値を減じた値に基づいて前記送信電力補正値を決定することを特徴とする。
【００１６】
また、本発明は、開ループ送信電力制御の送受信装置を具備する移動局装置と基地局装置との間で開ループ送信電力制御を行う方法であって、前記移動局装置は前記基地局装置とのランダムアクセス通信を開始する際に、プリアンブルを送信する送信電力として正または負の値を取ることのできる補正値が加算された送信電力値を用い、前記補正値は、前回のランダムアクセス通信の際に送信したプリアンブルの回数に応じて定まることを特徴とする。
【００１７】
また、本発明の前記補正値は前記ランダムアクセスの回数が少ないときは負の値を取ることを特徴とする。
【００１８】
また、本発明の前記補正値は正の最大値を有することを特徴とする。
【発明の効果】
【００１９】
本発明によれば、過去の送信信号の送信失敗回数に基づいて送信電力補正値を算出し、当該送信電力補正値を用いて初回の送信電力を算出する。これにより、伝送路損失に依存しない送信電力補正値を生成することができ、最適な電力制御を行うことができる。
【発明を実施するための最良の形態】
【００２０】
以下、図面を参照しながら本発明の実施形態について詳しく説明する。
図１は、本発明の一実施形態による無線通信システムの構成を示す概略ブロック図である。
本実施形態による通信システムは、送受信装置１００と基地局装置２００とを備える。送受信装置１００は、基地局装置２００と通信を行う移動局装置に搭載されて、送信電力制御を行う。送受信装置１００は、ランダムアクセス通信を開始する際に、基地局装置２００にプリアンブルを送信する。基地局装置２００は、自装置からの送信電力と希望受信電力とを示す報知信号を送信する。
送受信装置１００は、アンテナ１０１と、報知信号受信部１０２と、受信電力測定部１０３と、基地局情報取得部１０４と、送信電力算出部１０５と、補正値記憶部１０６と、データ処理部１０７と、送信部１０８と、応答信号受信部１０９と、応答判定部１１０と、補正値算出部１１１と、再送回数記憶部１１２と、目標再送回数記憶部１１３とを備える。なお、送受信装置１００の構成要素は、その移動局装置の他の構成要素と必要に応じて兼用されてもよい。
【００２１】
報知信号受信部１０２は、アンテナ１０１を介して基地局装置２００から報知信号を受信する。
受信電力測定部１０３は、報知信号受信部１０２が受信した報知信号の受信電力を測定する。
基地局情報取得部１０４は、報知信号受信部１０２が受信した報知信号から送信電力と希望受信電力を示す基地局情報を取得する。
送信電力算出部１０５は、取得した基地局情報と報知信号の受信電力と補正値記憶部１０６が記憶する送信電力補正値とに基づいてプリアンブルの送信電力を算出する。
データ処理部１０７は、プリアンブルの信号を生成する。
送信部１０８は、アンテナ１０１を介して算出した送信電力で基地局装置２００にプリアンブルを送信する。
応答信号受信部１０９は、アンテナ１０１を介して基地局装置２００から応答信号を受信する。
応答判定部１１０は、受信した応答信号が前記送信信号の送信成功を示すか否かを判定する。
補正値算出部１１１は、補正値記憶部１０６に記憶されている送信電力補正値と、再送回数記憶部１１２に記憶されているプリアンブルの再送回数と、目標再送回数記憶部１１３に記憶されているプリアンブル再送回数の目標値とに基づいて新たな送信電力補正値を算出し、補正値記憶部１０６に登録する。
目標再送回数記憶部１１３は、予め決められた再送回数の目標値を記憶する。
【００２２】
この点を次に詳述する。送信電力算出部１０５は、基地局情報取得部１０４が取得した送信電力と希望受信電力と、補正値記憶部１０６が記憶する送信電力補正値とを加算し、受信電力測定部１０３が測定した受信電力を減算することで、プリアンブルの送信電力を算出する。
応答信号受信部１０９は、基地局装置２００からプリアンブルに対する応答信号を受信する。応答判定部１１０は、受信した応答信号がプリアンブルの受信完了を示すか否かを判定する。プリアンブルの受信完了を示さないと判定した場合、送信電力算出部１０５は前回の送信電力に所定のランプアップ電力を加えた電力を送信電力として送信部１０８を介してプリアンブルを再送する。プリアンブルの受信完了を示すと判定した場合、補正値算出部１１１はプリアンブルの送信が失敗であると判定された回数に基づいて送信電力補正値を算出し、補正値記憶部１０６に登録する。
これにより、初回のプリアンブル送信電力を最適な値に近づける処理を行う。
【００２３】
以下に、本実施形態による送受信装置１００の動作を説明する。
図２は、送受信装置１００の動作を示すフローチャートである。
まず、送受信装置１００の報知信号受信部１０２は、アンテナ１０１を介して基地局装置２００から送信される報知信号を受信する（ステップＳ１）。報知信号は、基地局装置２００から送受信装置１００への一方向チャネルである報知チャネルを用いてブロードキャストで（同報通信により）送信される。報知信号には基地局装置２００からの送信電力や基地局装置２００の希望受信電力などの制御情報が含まれる。報知信号を受信すると、受信電力測定部１０３は、受信した報知信号の受信電力ＲｘＵＥ［ｄＢｍ］を測定する（ステップＳ２）。また、報知信号を受信すると、基地局情報取得部１０４は、報知信号から上述した送信電力ＴｘｅＮＢ［ｄＢｍ］と希望受信電力ＤＲｘｅＮＢ［ｄＢｍ］とを示す基地局情報を取得する（ステップＳ３）。
【００２４】
報知信号の受信電力ＲｘＵＥ及び送信電力ＴｘｅＮＢと希望受信電力ＤＲｘｅＮＢとを示す基地局情報を取得すると、送信電力算出部１０５は、プリアンブルの送信電力ＴｘＵＥを算出する（ステップＳ４）。送信電力ＴｘＵＥ［ｄＢｍ］は、データ処理部１０４が取得した送信電力ＴｘｅＮＢと希望受信電力ＤＲｘｅＮＢと、補正値記憶部１０６が記憶する送信電力補正値ｏｆｆＵＥ［ｄＢｍ］とを加算し、受信電力測定部１０３が測定した受信電力ＲｘＵＥを減算することで算出する。すなわち、
ＴｘＵＥ＝ＤＲｘｅＮＢ＋ＴｘｅＮＢ＋ｏｆｆＵＥ−ＲｘＵＥ  ・・・（１）
を計算する。
なお、受信した報知信号の干渉電力に基づいて上りリンクの干渉電力を類推し、送信電力ＴｘＵＥに加算しても良い。
【００２５】
送信電力を算出すると、送信電力算出部１０５は、送信部１０８に送信電力ＴｘＵＥを通知し、データ処理部１０７に送信電力の算出完了を通知する。データ処理部１０７は、送信電力の算出完了の通知を取得すると、プリアンブルの信号を生成し、送信部１０８に出力する。送信部１０８は、プリアンブルの信号を取得すると、アンテナ１０１を介して算出した送信電力ＴｘＵＥで基地局装置２００にプリアンブルを送信する（ステップＳ５）。
【００２６】
基地局装置２００は、送受信装置１００からプリアンブルを受信すると、予め決められたタイミングで送受信装置１００にプリアンブルの受信有無を示す応答信号を送信する。すなわち、基地局装置２００は、プリアンブルを受信できた場合、ＡＣＫ（Acknowledgement：確認応答）を送信する。また、プリアンブルを受信できたが今回のランダムアクセスを受け付けない場合は、ＮＡＣＫ（Negative Acknowledgement：否定応答）を送信する。また、プリアンブルを受信できない場合は、応答信号を送信しない。
【００２７】
ステップＳ５によってプリアンブルを送信すると、応答信号受信部１０９はアンテナ１０１を介して基地局装置２００からの応答信号を受信する（ステップＳ６）。基地局装置２００から応答信号を受信すると、応答判定部１１０は、受信した応答信号がＡＣＫであるか否かを判定する（ステップＳ７）。受信した応答信号がＮＡＣＫである場合、または応答信号を受信できない場合、送信電力算出部１０５は、再送回数記憶部１１２が記憶する再送回数ｎに１を加える（ステップＳ８）。なお、再送回数ｎは、ランダムアクセス手順開始時に０に初期化されるものとする。次に、送信電力算出部１０５は、前回算出した送信電力ＴｘＵＥに、所定のランプアップ電力Ｓｔｅｐ［ｄＢｍ］を加算し、これをプリアンブルの送信電力ＴｘＵＥとする（ステップＳ９）。送信電力ＴｘＵＥを算出すると、ステップＳ５に戻り、ランプアップ電力を加算した送信電力ＴｘＵＥで再びプリアンブルを送信する。
【００２８】
ステップＳ７で受信した応答信号がＡＣＫであると判定した場合、補正値算出部１１１は、送信電力補正値を算出する（ステップＳ１０）。補正値算出部１１１は、送信電力補正値ｏｆｆＵＥを、再送回数記憶部１１２が記憶する再送回数ｎから目標再送回数記憶部１１４が記憶する再送回数の目標値ｍを減じた値に所定のランプアップ電力Ｓｔｅｐを乗じ、得られた値に前回の送信電力補正値ｏｆｆＵＥ´を加算することで算出する。すなわち、
ｏｆｆＵＥ＝（ｎ−ｍ）×Ｓｔｅｐ＋ｏｆｆＵＥ´  ・・・（２）
を計算することで算出する。
ここで、送信電力補正値ｏｆｆＵＥを式（２）を用いて算出する理由を説明する。この式は、ｍ＋１回目のプリアンブル送信で基地局装置２００からＡＣＫを受信するように送信電力を制御することを意味している。ｍ＋１回で送信成功するように設定する理由は、セル内の全ての送受信装置１００のプリアンブル送信成功確率を平均化するためである。ここでセルとは、基地局装置２００の電波到達範囲のことである。通常、基地局装置２００にプリアンブルを送信する送受信装置１００は１つではなく、同じセル内に存在する複数の送受信装置１００がプリアンブルを送信する。
【００２９】
プリアンブルの送信回数は少ないほうが好ましいが、１回で成功することが良いというわけではない。プリアンブルの送信回数が１回で成功するように送信電力補正値ｏｆｆＵＥを設定すると、送信電力補正値ｏｆｆＵＥが大きくなる。セル内の全ての送受信装置１００が送信電力補正値ｏｆｆＵＥを大きくすると、ランダムアクセスの衝突確率が増え、結果的にセル内のプリアンブル送信の成功確率の平均値が低下してしまう。このため、セル内の状況を鑑み、成功確率の平均値を上げる試行回数を設定し、プリアンブルの送信の発生を分散、平均化するために、上述した式を用いて送信電力補正値ｏｆｆＵＥを算出する。
【００３０】
次に、送信電力補正値について具体的に説明する。
図３及び図４は、ランダムアクセスに成功した時点でのプリアンブル再送回数と次回のランダムアクセスにおける初回のプリアンブル送信電力との関係を示す図である。
以下、再送回数の目標値ｍ＝２、送信電力補正値ｏｆｆＵＥ＝０の場合を説明する。
【００３１】
図３（ａ）は、初回のプリアンブル送信で基地局装置２００からＡＣＫを受信した場合、すなわち再送回数ｎ＝０の場合を示す。このとき、送受信装置１００は、図３（ａ）に示すように、初回のプリアンブルの送信で基地局装置２００からＡＣＫを受信する。
しかし、再送回数の目標値ｍ＝２であるため、このときの送受信装置１００からの送信電力は過大である。従って、次回のランダムアクセス開始時に、２回目のプリアンブル再送で基地局装置２００からＡＣＫを受信するように、送信電力を小さくする方向に送信電力補正値を設定する必要がある。このとき、ｎ＝０、ｍ＝２であるため、ｎ−ｍは−２となり、送信電力補正値ｏｆｆＵＥは負の値となる。これにより、図３（ａ）に示すように、次回のランダムアクセス開始時におけるプリアンブル送信時の送信電力を小さくすることができる。
【００３２】
図３（ｂ）は、１回目のプリアンブル再送で基地局装置２００からＡＣＫを受信した場合、すなわち再送回数ｎ＝１の場合を示す。このとき、送受信装置１００は、図３（ｂ）に示すように、初回のプリアンブルの送信に失敗し、送信電力にランプアップ電力を加算した電力で１回目のプリアンブル再送を行う。
しかし再送回数の目標値ｍ＝２であるため、このときの送受信装置１００からの送信電力は過大である。従って、次回のランダムアクセス開始時に、２回目のプリアンブル再送で基地局装置２００からＡＣＫを受信するように、送信電力を小さくする方向に送信電力補正値を設定する必要がある。このとき、ｎ＝１、ｍ＝２であるため、ｎ−ｍは−１となり、送信電力補正値ｏｆｆＵＥは負の値となる。これにより、図３（ｂ）に示すように、次回のランダムアクセス開始時におけるプリアンブル送信時の送信電力を小さくすることができる。
【００３３】
図４（ａ）は、２回目のプリアンブル再送で基地局装置２００からＡＣＫを受信した場合、すなわち再送回数ｎ＝２の場合を示す。このとき、送受信装置１００は、図４（ａ）に示すように、初回のプリアンブルの送信に失敗し、送信電力にランプアップ電力を加算した電力で１回目のプリアンブル再送を行う。１回目のプリアンブル再送も失敗し、１回目のプリアンブル再送時の送信電力にランプアップ電力をさらに加算した電力で２回目のプリアンブル再送を行う。
このとき、再送回数の目標値ｍ＝２であるため、このときの送受信装置１００からの送信電力は適切である。従って、次回のランダムアクセス開始時におけるプリアンブル送信も同程度の送信電力で送信する必要がある。このとき、ｎ＝２、ｍ＝２であるため、ｎ−ｍは０となり、送信電力補正値ｏｆｆＵＥは０となる。これにより、図４（ａ）に示すように、次回のランダムアクセス開始時におけるプリアンブル送信時も適切な送信電力で送信することができる。
【００３４】
次に、３回目以降のプリアンブル再送で基地局装置２００からＡＣＫを受信した場合を説明する。
図４（ｂ）は、３回目のプリアンブル再送で基地局装置２００からＡＣＫを受信した場合、すなわち再送回数ｎ＝３の場合を示す。このとき、送受信装置１００は、図４（ｂ）に示すように、初回のプリアンブルの送信及び１回目、２回目のプリアンブル再送に失敗し、２回目のプリアンブル再送時の送信電力にランプアップ電力をさらに加算した電力で３回目のプリアンブル再送を行う。
このとき、再送回数の目標値ｍ＝２であるため、このときの送受信装置１００からの送信電力は過小である。従って、次回のランダムアクセス開始時に、２回目のプリアンブル再送で基地局装置２００からＡＣＫを受信するように、送信電力を大きくする方向に送信電力補正値を設定する必要がある。このとき、ｎ＝３、ｍ＝２であるため、ｎ−ｍは１となり、送信電力補正値ｏｆｆＵＥは正の値となる。これにより、図４（ｂ）に示すように次回のランダムアクセス開始時におけるプリアンブル送信時の送信電力を大きくすることができる。なお、ｎ＞３の場合も同様に、次回のランダムアクセス開始時におけるプリアンブル送信時の送信電力を大きくすることができる。
【００３５】
このように、本実施形態によれば、過去の送信信号の送信失敗回数に基づいて送信電力補正値を算出し、当該送信電力補正値を用いて初回の送信電力を算出する。これにより、伝送路損失に依存しない送信電力補正値を生成することができ、最適な電力制御を行うことができる。
【００３６】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では送信電力補正値ｏｆｆＵＥの算出の際、補正値算出部１１１がｏｆｆＵＥ＝（ｎ−ｍ）×Ｓｔｅｐ＋ｏｆｆＵＥ´という式（２）を用いてｏｆｆＵＥを算出する場合を説明したが、これに限られず、初回送信電力を上げ過ぎないよう、送信電力補正値の最大値ｏｆｆｍａｘを定義し、
ｏｆｆＵＥ＝ｍｉｎ（ｏｆｆｍａｘ，（ｎ−ｍ）×Ｓｔｅｐ＋ｏｆｆＵＥ´）  ・・・（３）
という式（３）を用いてもよい。なお、ｍｉｎ（Ａ，Ｂ）は、Ａ，Ｂのうちの値の小さい方を選択することを示す。
【００３７】
なお、本実施形態では、送信電力補正値ｏｆｆＵＥの算出の際、補正値算出部１１１がｏｆｆＵＥ＝（ｎ−ｍ）×Ｓｔｅｐ＋ｏｆｆＵＥ´という式（２）を用いてｏｆｆＵＥを算出する場合を説明したが、これに限られない。例えば、ｍ＝０の場合、すなわち初回のプリアンブル送信で基地局装置２００からＡＣＫを受信するように設定する場合、上記した式では補正値が負の値にならない。すなわち、送信電力ＴｘＵＥが過大である場合でも送信電力ＴｘＵＥを小さくする方向に補正することができない。そこで、ｎ＝０である場合は、
ｏｆｆＵＥ＝−１×Ｓｔｅｐ＋ｏｆｆＵＥ´  ・・・（４）
とし、ｎ≧１である場合は、
ｏｆｆＵＥ＝ｎ×Ｓｔｅｐ＋ｏｆｆＵＥ´  ・・・（５）
とすることで、初回のプリアンブル送信で基地局装置２００からＡＣＫを受信した場合に送信電力ＴｘＵＥを小さくする方向に送信電力補正値ｏｆｆＵＥを算出する式を用いても良い。
また、補正値が負の値をとることでプリアンブル送信の成功確率は低下する。そのため、ｎ＝０である場合、例えば
ｏｆｆＵＥ＝−１×（Ｓｔｅｐ／２）＋ｏｆｆＵＥ´  ・・・（６）
という式を用いることで、低下の度合いを緩やかにしても良い。
【００３８】
なお、本実施形態では、再送回数の目標値ｍが予め決定された値である場合を説明したが、これに限られず、例えば、基地局装置２００が目標値ｍを報知信号に含めて送信しても良いし、過去の再送回数の履歴に基づいて送受信装置１００が自動的に決定しても良い。
【図面の簡単な説明】
【００３９】
【図１】図１は、本発明の一実施形態による無線通信システムの構成を示す概略ブロック図である。
【図２】送受信装置１００の動作を示すフローチャートである。
【図３】ランダムアクセスに成功した時点でのプリアンブル再送回数と次回のランダムアクセスにおける初回のプリアンブル送信電力との関係を示す図である。
【図４】ランダムアクセスに成功した時点でのプリアンブル再送回数と次回のランダムアクセスにおける初回のプリアンブル送信電力との関係を示す図である。
【符号の説明】
【００４０】
１００…送受信装置  １０１…アンテナ  １０２…通信部  １０３…受信電力測定部  １０４…データ処理部  １０５…送信電力算出部  １０６…記憶部  １０７…データ処理部  １０８…送信部  １０９…応答信号受信部  １１０…応答判定部  １１１…補正値記憶部  １１２…再送回数記憶部  １１３…目標再送回数記憶部  ２００…基地局装置
【図１】
2010081171.tif 000003
【図２】
2010081171.tif 000004
【図３】
2010081171.tif 000005
【図４】
2010081171.tif 000006